(57)【特許請求の範囲】
【請求項１】
波長の異なる複数の光信号が多重化された光の受信電力を測定する第１の光電力モニタ部と、
前記波長の異なる複数の光信号が多重化された光を増幅する増幅部と、
前記増幅部を駆動する駆動部と、
前記増幅部で増幅された光を各波長の光に分離する分離部と、
前記各波長の光の受信電力を測定する複数の第２の光受信電力モニタ部と、
前記第１の光受信電力モニタ部により測定される受信電力及び前記駆動部による前記増幅部の駆動条件をパラメータとする前記各波長の光の前記増幅部における利得に関する情報を記憶する記憶部と、
前記各波長の光の前記増幅部への入力電力の値を演算する演算部と、
を備え、
前記演算部は、前記第１の光電力モニタ部により実際に測定された受信電力、前記駆動部により前記増幅部が実際に駆動された条件及び前記記憶部に記憶された利得に関する情報に基づいて前記各波長の光の前記増幅部における利得の値を求め、該波長ごとの利得の値及び前記各第２の光受信電力モニタ部により実際に測定された波長ごとの受信電力の値に基づいて前記各波長の光の前記増幅部への入力電力の値を演算することを特徴とする光伝送装置。
【請求項２】
前記記憶部には、前記第１の光受信電力モニタ部で測定される受信電力の離散値と前記駆動部による前記増幅部の駆動条件の離散値との組み合わせに対して予め測定された、前記各波長の光の前記増幅部における利得の値が記憶されており、
前記演算部は、前記第１の光受信電力モニタ部により実際に測定された受信電力の値及び前記駆動部により前記増幅部が実際に駆動された条件の組み合わせに対する前記各波長の光の前記増幅部における利得の値を、前記記憶部に記憶されている前記各波長の光の前記増幅部における利得の値を補間して求めることを特徴とする請求項１に記載の光伝送装置。
【請求項３】
前記駆動部による前記増幅部の駆動条件は、前記増幅部に供給される駆動電流であることを特徴とする請求項２に記載の光伝送装置。
【請求項４】
前記演算部は、前記各第２の光受信電力モニタ部により実際に測定された波長ごとの受信電力の値を前記演算部により求められた波長ごとの利得の値で除することにより、前記各波長の光の前記増幅部への入力電力の値を演算することを特徴とする請求項２または３に記載の光伝送装置。
【請求項５】
波長の異なる複数の光信号が多重化された光の受信電力を測定し、
前記波長の異なる複数の光信号が多重化された光を増幅したときの増幅器の駆動条件を取得し、
前記受信電力の測定値、前記駆動条件の取得値、及び予め用意されている、前記波長の異なる複数の光信号が多重化された光の受信電力、及び前記波長の異なる複数の光信号が多重化された光を増幅したときの前記増幅器の駆動条件をパラメータとする各波長の光の前記増幅器における利得に関する情報に基づいて、前記各波長の光の前記増幅器における利得の値を求め、
前記増幅器で増幅された後に波長ごとに分離された前記各波長の光の受信電力を測定し、
前記波長ごとの利得の値及び前記波長ごとの受信電力の測定値に基づいて前記各波長の光の前記増幅器への入力電力の値を演算することを特徴とする光伝送方法。
【発明の詳細な説明】
【技術分野】
【０００１】
この発明は、光伝送装置及び光伝送方法に関する。
【背景技術】
【０００２】
従来、光伝送システムの一つに波長分割多重（ＷＤＭ：Ｗａｖｅｌｅｎｇｔｈ  Ｄｉｖｉｓｉｏｎ  Ｍｕｌｔｉｐｌｅｘｉｎｇ）システムがある。ＷＤＭシステムにおいて、送信側の光伝送装置は、波長の異なる複数の光信号を多重化して１本の光ファイバー中へ送り出す。受信側の光伝送装置は、１本の光ファイバーから出射された、波長の異なる複数の光信号が多重化されたＷＤＭ信号を波長ごとの光信号に分離して波長ごとに受光素子で受信する。送信側の装置と受信側の装置との間にＷＤＭ信号を中継する光伝送装置が設けられることがある。
【０００３】
受信側の装置や中継用の装置では、波長ごとの光信号に分離する前に増幅器でＷＤＭ信号を増幅することがある。このような光伝送装置では、増幅器でＷＤＭ信号を増幅する前にＷＤＭ信号に含まれる各波長の光の受信電力を監視し、増幅器の動作電流によって決まる利得に基づいて各波長の光の入力パワーを算出することによって、光伝送装置の動作状況を把握することができる。増幅器の一例として、例えば半導体光増幅器（ＳＯＡ：Ｓｅｍｉｃｏｎｄｕｃｔｏｒ  Ｏｐｔｉｃａｌ  Ａｍｐｌｉｆｉｅｒ）がある。
【０００４】
増幅器を制御する方法として、増幅器へのダミー信号の入力レベルと、増幅器で増幅されたダミー信号の増幅器からの出力レベルと、増幅器の利得の特性に関する校正データと、に基づいて増幅器の利得を制御する方法がある。ダミー信号を用いずに、増幅器で増幅されたＷＤＭ信号を波長に応じて複数のグループに分け、グループごとに求めた入力パワーに基づいて増幅器の利得を制御する方法がある。
【先行技術文献】
【特許文献】
【０００５】
【特許文献１】特開２００８−１６６７１９号公報
【特許文献２】特開２００１−１４４６９２号公報
【発明の概要】
【発明が解決しようとする課題】
【０００６】
しかしながら、ダミー信号を用いる場合、ダミー信号を生成する回路や、増幅器へ入力される他の信号とダミー信号とを分離するＷＤＭ光信号フィルタなどが必要であるため、回路規模が増大するという問題点がある。また、増幅後のＷＤＭ信号を複数のグループに分け、グループごとに受信電力を監視する場合、増幅器の動作電流によって決まる利得に基づいてグループごとに入力パワーを算出することになる。この場合、増幅器には、例えば利得飽和領域に近くなると利得が入力パワーに大きく依存するというように、入力パワーに応じて利得が変化するという特性や、波長によって利得が異なるという特性がある。そのため、入力パワーの波長間偏差と増幅器の波長間利得差を区別することができない。従って、ＷＤＭ信号に含まれる各波長の光の受信電力の監視精度が悪くなるという問題点がある。
【０００７】
ＷＤＭ信号に含まれる各波長の光の受信電力を精度良く監視することができる光伝送装置及び光伝送方法を提供することを目的とする。回路規模の増大を抑制することができる光伝送装置及び光伝送方法を提供することを目的とする。
【課題を解決するための手段】
【０００８】
光伝送装置は、第１の光受信電力モニタ部、増幅部、駆動部、分離部、複数の第２の光受信電力モニタ部、記憶部及び演算部を備えている。第１の光受信電力モニタ部は、波長の異なる複数の光信号が多重化された光の受信電力を測定する。増幅部は、波長の異なる複数の光信号が多重化された光を増幅する。駆動部は、増幅部を駆動する。分離部は、増幅部で増幅された光を各波長の光に分離する。第２の光受信電力モニタ部は、各波長の光の受信電力を測定する。記憶部は、第１の光受信電力モニタ部により測定される受信電力及び駆動部による増幅部の駆動条件をパラメータとする各波長の光の増幅部における利得に関する情報を記憶する。演算部は、第１の光受信電力モニタ部により実際に測定された受信電力、駆動部により増幅部が実際に駆動された条件及び記憶部に記憶された利得に関する情報に基づいて各波長の光の増幅部における利得の値を求める。演算部は、波長ごとの利得の値及び各第２の光受信電力モニタ部により実際に測定された波長ごとの受信電力の値に基づいて各波長の光の増幅部への入力電力の値を演算する。
【発明の効果】
【０００９】
この光伝送装置及び光伝送方法によれば、ＷＤＭ信号に含まれる各波長の光の受信電力を精度良く監視することができる。回路規模の増大を抑制することができる。
【図面の簡単な説明】
【００１０】
【図１】実施例１にかかる光伝送装置を示すブロック図である。
【図２】実施例１にかかる光伝送方法を示すフローチャートである。
【図３】実施例２にかかる光伝送装置を示すブロック図である。
【図４】波長λ１の利得の値の一例を示すテーブルである。
【図５】波長λ２の利得の値の一例を示すテーブルである。
【図６】波長λ３の利得の値の一例を示すテーブルである。
【図７】波長λ４の利得の値の一例を示すテーブルである。
【図８】実施例２にかかる光伝送方法を示すフローチャートである。
【図９】実施例２にかかる光伝送方法を示すフローチャートである。
【図１０】実施例３にかかる光伝送装置を示すブロック図である。
【図１１】実施例４にかかる光伝送装置を示すブロック図である。
【図１２】実施例５にかかる光送受信モジュールを示すブロック図である。
【発明を実施するための形態】
【００１１】
以下に添付図面を参照して、この光伝送装置及び光伝送方法の好適な実施の形態を詳細に説明する。光伝送装置及び光伝送方法は、ＷＤＭ信号の受信電力の測定値及びＷＤＭ信号の増幅条件に応じた利得の値を波長ごとに求め、波長ごとの利得の値及び増幅後の波長ごとの受信電力の測定値に基づいて波長ごとに増幅部への入力電力の値を演算することで、増幅前の各波長の光の受信電力を監視するものである。以下の各実施例の説明においては、同様の構成要素には同一の符号を付して、重複する説明を省略する。
【００１２】
（実施例１）
・光伝送装置の説明
図１は、実施例１にかかる光伝送装置を示すブロック図である。図１に示すように、光伝送装置は、第１の光受信電力モニタ部１、増幅部２、駆動部３、分離部４、複数の第２の光受信電力モニタ部５、記憶部６及び演算部７を備えている。
【００１３】
第１の光受信電力モニタ部１はＷＤＭ信号の受信電力を測定する。ＷＤＭ信号には、波長の異なる複数の光信号が多重されている。増幅部２はＷＤＭ信号を増幅する。駆動部３は増幅部２を駆動する。分離部４は、増幅部２で増幅されたＷＤＭ信号を各波長の光に分離する。各第２の光受信電力モニタ部５は各波長の光の受信電力を測定する。記憶部６は、第１の光受信電力モニタ部１により測定されるＷＤＭ信号の受信電力、及び駆動部３による増幅部２の駆動条件をパラメータとする、各波長の光の増幅部２における利得に関する情報を記憶する。
【００１４】
演算部７は、第１の光受信電力モニタ部１により実際に測定されたＷＤＭ信号の受信電力、駆動部３により増幅部２が実際に駆動された条件、及び記憶部６に記憶された利得に関する情報に基づいて、各波長の光の増幅部２における利得の値を求める。演算部７は、波長ごとの利得の値及び各第２の光受信電力モニタ部５により実際に測定された波長ごとの受信電力の値に基づいて、各波長の光の増幅部２への入力電力の値を演算し、演算結果を図示しない制御装置などの他の装置へ出力する。
【００１５】
・光伝送方法の説明
図２は、実施例１にかかる光伝送方法を示すフローチャートである。図２に示すように、まず、第１の光受信電力モニタ部１はＷＤＭ信号の受信電力を測定する（ステップＳ１）。演算部７は、第１の光受信電力モニタ部１からＷＤＭ信号の受信電力の測定値を取得する。増幅部２はＷＤＭ信号を増幅する。演算部７は、駆動部３から、増幅部２がＷＤＭ信号を増幅したときの増幅部２の駆動条件を取得する（ステップＳ２）。
【００１６】
演算部７は、第１の光受信電力モニタ部１から取得したＷＤＭ信号の受信電力の測定値、駆動部３から取得した増幅部２の駆動条件の取得値、及び記憶部６から読み出した利得に関する情報に基づいて、各波長の光の増幅部２における利得の値を算出する（ステップＳ３）。各第２の光受信電力モニタ部５は、増幅部２で増幅され、分離部４により波長ごとに分離された各波長の光の受信電力を測定する（ステップＳ４）。
【００１７】
演算部７は、各第２の光受信電力モニタ部５から各波長の光の受信電力の測定値を取得する。演算部７は、波長ごとの利得の値及び波長ごとの受信電力の測定値に基づいて、各波長の光の増幅部２への入力電力の値を算出する（ステップＳ５）。そして、一連の処理を終了する。なお、ステップＳ１及びステップＳ２は、ステップＳ３の前に終了していれば、どちらが先であってもよい。また、ステップＳ４は、ステップＳ５の前に終了していれば、ステップＳ３よりも前であってもよい。
【００１８】
実施例１によれば、実際に増幅部２へ入力されるＷＤＭ信号の受信電力及び既知の増幅部２の波長ごとの利得の情報に基づいて、ＷＤＭ信号に含まれる各波長の光の増幅部２への入力電力が求められる。増幅部２の利得は、増幅部２に入力されるＷＤＭ信号に含まれる各波長の光の波長間の受信電力差よりも、増幅部２に入力されるＷＤＭ信号の受信電力に依存するので、増幅前の各波長の光の受信電力を精度良く求めることができる。従って、ＷＤＭ信号に含まれる各波長の光の受信電力を精度良く監視することができる。
【００１９】
また、増幅部２へ入力されるＷＤＭ信号の受信電力を測定することによって増幅前の各波長の光の受信電力を算出するので、第１の光受信電力モニタ部１には、増幅部２へ入力されるＷＤＭ信号を波長ごとの光に分離するＷＤＭ  ＤＭＵＸ（ＷＤＭ  Ｄｅｍｕｌｔｉｐｌｅｘｅｒ、ＷＤＭデマルチプレクサ）などの分離装置（デマルチプレクサ）が不要となる。第１の光受信電力モニタ部１は、ＷＤＭ信号を受信する受光素子を例えば一つ備えていればよい。従って、光伝送装置の回路規模が増大するのを抑制することができる。
【００２０】
（実施例２）
・光伝送装置の説明
図３は、実施例２にかかる光伝送装置を示すブロック図である。図３に示すように、光伝送装置は、第１の光受信電力モニタ部として例えばタップＰＤ（Ｐｈｏｔｏｄｉｏｄｅ、フォトダイオード）１１、増幅部として例えば半導体光増幅器（ＳＯＡ）１２、駆動部として例えばＳＯＡ駆動電流源１３、分離部として例えばＷＤＭ  ＤＭＵＸ１４、複数の第２の光受信電力モニタ部として例えば複数対のＰｉｎ−ＰＤ（Ｐ−ｉｎｔｒｉｎｓｉｃ−Ｎ  Ｐｈｏｔｏｄｉｏｄｅ）１９及び電力モニタ１５対、記憶部として例えばＲＯＭ（Ｒｅａｄ  Ｏｎｌｙ  Ｍｅｍｏｒｙ、読み出し専用メモリ）１６、並びに演算部として例えばＣＰＵ（Ｃｅｎｔｒａｌ  Ｐｒｏｃｅｓｓｉｎｇ  Ｕｎｉｔ、中央処理装置）１７を備えている。なお、増幅部として例えば光ファイバ増幅器などの他の光増幅器を用いてもよい。
【００２１】
タップＰＤ１１は、光伝送装置の入力端に接続されている。タップＰＤ１１によって、光伝送装置に入力されたＷＤＭ信号が半導体光増幅器１２側へ送られるＷＤＭ信号と監視用のＷＤＭ信号とに分岐される。ＷＤＭ信号には、λ１〜λｎのｎ個の異なる波長の光信号が多重されているとする。ここで、ｎは２以上の整数である。タップＰＤ１１によって、監視用のＷＤＭ信号が電気信号に変換され、ＷＤＭ信号の受信電力が測定される。ＷＤＭ信号の受信電力の値Ｐｉｎ＿ａｌｌはタップＰＤ１１からＣＰＵ１７へ出力される。
【００２２】
タップＰＤ１１の出力端と半導体光増幅器１２の入力端との間にはアイソレータ１８が接続されている。アイソレータ１８によって、半導体光増幅器１２の前方向への自然放出光（ＡＳＥ：Ａｍｐｌｉｆｉｅｄ  Ｓｐｏｎｔａｎｅｏｕｓ  Ｅｍｉｓｓｉｏｎ）がタップＰＤ１１に入力するのを防いでいる。自然放出光がタップＰＤ１１に入力してしまうと、タップＰＤ１１におけるＷＤＭ信号の受信電力の測定値に誤差が生じることがある。従って、アイソレータ１８の挿入によって、ＷＤＭ信号の受信電力の測定値に生じる誤差が低減されている。
【００２３】
半導体光増幅器１２は、ＳＯＡ駆動電流源１３から供給される駆動電流によって駆動される。従って、半導体光増幅器１２の駆動条件として半導体光増幅器１２の駆動電流の値ＩｓｏａがＳＯＡ駆動電流源１３からＣＰＵ１７へ出力される。半導体光増幅器１２によって、タップＰＤ１１及びアイソレータ１８を通過したＷＤＭ信号が増幅される。
【００２４】
ＷＤＭ  ＤＭＵＸ１４は半導体光増幅器１２の出力端に接続されている。ＷＤＭ  ＤＭＵＸ１４によって、半導体光増幅器１２で増幅されたＷＤＭ信号がλ１〜λｎのｎ個の異なる波長の光に分波される。ＷＤＭ  ＤＭＵＸ１４は、例えば誘電体多層膜ミラー及び各波長を選択的に透過させるフィルタを備えていてもよい。ＷＤＭ  ＤＭＵＸ１４の少なくともｎ個の出力端には、それぞれ各波長用のＰｉｎ−ＰＤ１９が接続されている。
【００２５】
各Ｐｉｎ−ＰＤ１９には電力モニタ１５が接続されている。各Ｐｉｎ−ＰＤ１９によって、ＷＤＭ  ＤＭＵＸ１４で分波された各波長の光が受光され、電気信号に変換される。電力モニタ１５がＰｉｎ−ＰＤ１９の出力電流を監視することによって、増幅後の各波長の光の受信電力が監視される。増幅後の各波長の光の受信電力の値Ｐｐｄ＿ｉは各電力モニタ１５からＣＰＵ１７へ出力される。ここで、ｉは１以上ｎ以下の整数であり、波長の番号を表す。
【００２６】
ＲＯＭ１６には、タップＰＤ１１で測定されるＷＤＭ信号の受信電力とＳＯＡ駆動電流源１３による半導体光増幅器１２の駆動電流の値との組み合わせに対する各波長の光の半導体光増幅器１２における利得の値の情報が記憶されている。ＲＯＭ１６に記憶されている利得の情報は、光伝送装置の稼働前に、ＷＤＭ信号の受信電力及び半導体光増幅器１２の駆動電流の値をパラメータとして各波長の光の半導体光増幅器１２における利得を測定することにより得られたものである。ＲＯＭ１６に記憶されている利得の値の一例を図４〜図７に示す。
【００２７】
図４〜図７は、波長λ１〜λ４の利得の値の一例を示すテーブルである。図４、図５、図６および図７には、それぞれ波長λ１、λ２、λ３およびλ４のＳＯＡ利得テーブル２１，２２，２３，２４が示されている。各テーブルにおいて、全受信電力は、タップＰＤ１１で測定されるＷＤＭ信号の受信電力の値であり、特に限定しないが、例えば−３０ｄＢｍ〜１２ｄＢｍの範囲で６ｄＢｍ刻みの値となっている。ＳＯＡ電流は、ＳＯＡ駆動電流源１３により駆動される半導体光増幅器１２の駆動電流の値であり、特に限定しないが、例えば３０ｍＡ〜１８０ｍＡの範囲で３０ｍＡ刻みの値となっている。
【００２８】
全受信電力とＳＯＡ電流との各組み合わせについて、半導体光増幅器１２の利得（ＳＯＡ利得）の値が設定されている。このようなテーブルが、ＷＤＭ信号に含まれている全ての波長について設けられている。なお、全受信電力の値の範囲や間隔及びＳＯＡ電流の値の範囲や間隔は、任意である。
【００２９】
ＣＰＵ１７は、タップＰＤ１１から、タップＰＤ１１により実際に測定されたＷＤＭ信号の受信電力の値Ｐｉｎ＿ａｌｌを取得する。ＣＰＵ１７は、ＳＯＡ駆動電流源１３から、ＳＯＡ駆動電流源１３により半導体光増幅器１２が実際に駆動されたときの駆動電流の値Ｉｓｏａを取得する。ＣＰＵ１７は、タップＰＤ１１から取得したＰｉｎ＿ａｌｌについては、各波長のＳＯＡ利得テーブルの全受信電力の該当する行を参照する。ＣＰＵ１７は、ＳＯＡ駆動電流源１３から取得したＩｓｏａについては、各波長のＳＯＡ利得テーブルのＳＯＡ電流の該当する列を参照する。そして、ＣＰＵ１７は、ＳＯＡテーブルから、Ｐｉｎ＿ａｌｌ及びＩｓｏａの組み合わせに対応する各波長の利得の値Ｇｉを求める。
【００３０】
ＳＯＡテーブルに、タップＰＤ１１から取得したＰｉｎ＿ａｌｌ及びＳＯＡ駆動電流源１３から取得したＩｓｏａの組み合わせに一致するものがない場合には、例えばその組み合わせに近い例えば４つの利得の値を用いて補間法により利得の値Ｇｉを求める。その際、どのような補間法を適用してもよい。または、図４〜７のテーブルをＲＯＭ１６に記憶させるかわりに、補間のための変換式をＲＯＭ１６に記憶させておいてもよい。
【００３１】
ＣＰＵ１７は、各Ｐｉｎ−ＰＤ１９及び電力モニタ１５対で監視されている増幅後の各波長の光の受信電力の値Ｐｐｄ＿ｉを、各波長のＳＯＡ利得テーブルを参照して求めた波長ごとの利得の値Ｇｉで除することにより、各波長の光の半導体光増幅器１２への入力電力の値、すなわち増幅前の各波長の光の受信電力の値Ｐｉｎ＿ｉを演算する。演算式は、次式で表される。
【００３２】
【数１】
0005617549.tif 000002
【００３３】
・光伝送方法の説明
図８及び図９は、実施例２にかかる光伝送方法を示すフローチャートである。図８は、光伝送装置の稼働前にＲＯＭ１６に半導体光増幅器１２の利得の情報を記憶させるプロセスを示すフローチャートである。図８に示すように、まず、作業者は、例えば図３に示す光伝送装置を用いて、ＷＤＭ信号に含まれている光の波長ごとに、ＷＤＭ信号の受信電力（全受信電力）及び半導体光増幅器１２の駆動電流（ＳＯＡ電流）をパラメータとして半導体光増幅器１２の利得（ＳＯＡ利得）を測定する（ステップＳ１１）。次いで、作業者は、測定によって得た半導体光増幅器１２の利得（ＳＯＡ利得）のデータをＲＯＭ１６に格納し（ステップＳ１２）、終了する。
【００３４】
図９は、増幅前の各波長の光の受信電力の値Ｐｉｎ＿ｉを求めるプロセスを示すフローチャートである。図９に示すように、まず、ＣＰＵ１７は、タップＰＤ１１から現在のＷＤＭ信号の受信電力（全受信電力）の値Ｐｉｎ＿ａｌｌを読み取る（ステップＳ２１）。次いで、ＣＰＵ１７は、ＳＯＡ駆動電流源１３から半導体光増幅器１２の現在の駆動電流の値Ｉｓｏａを読み取る（ステップＳ２２）。
【００３５】
次いで、ＣＰＵ１７は、波長の番号を表すｉに１を代入し（ステップＳ２３）、ＲＯＭ１６に記憶されている波長λ１のＳＯＡテーブルを参照し、ステップＳ２１で得たＰｉｎ＿ａｌｌ及びステップＳ２２で得たＩｓｏａの組み合わせに対応する波長λ１の利得の値Ｇ１を例えば補間法を用いて算出する（ステップＳ２４）。次いで、ＣＰＵ１７は、波長λ１の光が入射するＰｉｎ−ＰＤ１９及び電力モニタ１５対から現在の増幅後の波長λ１の光の受信電力の値Ｐｐｄ＿１を読み取る（ステップＳ２５）。
【００３６】
次いで、ＣＰＵ１７は、ステップＳ２５で得たＰｐｄ＿１をステップＳ２４で得たＧ１で割って（Ｐｐｄ＿１／Ｇ１）、増幅前の波長λ１の光の受信電力の値Ｐｉｎ＿１を算出する（ステップＳ２６）。次いで、ＣＰＵ１７は、ｉをインクリメントし（ステップＳ２７）、ｉが波長数ｎを超えたか否かを判断する（ステップＳ２８）。ここでは、ｉは２であり、波長数ｎ以下であるので（ステップＳ２８：Ｎｏ）、ステップＳ２４に戻る。
【００３７】
そして、ステップＳ２８でｉが波長数ｎを超えるまで、ＣＰＵ１７はステップＳ２４〜ステップＳ２８を繰り返す。すなわち、ＣＰＵ１７は、波長λｉの利得の値Ｇｉを算出し（ステップＳ２４）、現在の増幅後の波長λｉの光の受信電力の値Ｐｐｄ＿ｉを読み取り（ステップＳ２５）、増幅前の波長λｉの光の受信電力の値Ｐｉｎ＿ｉを算出し（ステップＳ２６）、ｉをインクリメントする（ステップＳ２７）。そして、ステップＳ２８でｉが波長数ｎを超えたら（ステップＳ２８：Ｙｅｓ）、終了する。実施例２によれば、実施例１と同様の効果が得られる。
【００３８】
（実施例３）
図１０は、実施例３にかかる光伝送装置を示すブロック図である。図１０に示すように、実施例３にかかる光伝送装置は、実施例２においてタップＰＤ１１の代わりに、第１の光受信電力モニタ部として例えばＰＤ（Ｐｈｏｔｏｄｉｏｄｅ、フォトダイオード）３１を備えている。ＰＤ３１は、例えばＷＤＭ信号に含まれている全ての波長の光を受光することができるものである。例えばＰＤ３１は、半導体光増幅器１２とともにＳＯＡパッケージ３２の中に集積されていてもよい。
【００３９】
ＰＤ３１によって、アイソレータ１８と半導体光増幅器１２との間で分岐された監視用のＷＤＭ信号が光電変換され、増幅前のＷＤＭ信号の受信電力が測定される。ＷＤＭ信号の受信電力の値Ｐｉｎ＿ａｌｌはＰＤ３１からＣＰＵ１７へ出力される。その他の構成および実施例３における光伝送方法は実施例２と同様である。実施例３によれば、実施例１と同様の効果が得られる。
【００４０】
（実施例４）
図１１は、実施例４にかかる光伝送装置を示すブロック図である。図１１に示すように、実施例４にかかる光伝送装置は、実施例２においてＷＤＭ  ＤＭＵＸ１４の代わりに、分離部として例えば複数のフィルタ４１，４２，４３を備えている。フィルタｉは波長λｉの光信号を透過させる。例えばフィルタ１＿４１は波長λ１の光信号を透過させ、フィルタ２＿４２は波長λ２の光信号を透過させ、フィルタｎ−１＿４３は波長λｎ−１の光信号を透過させる。
【００４１】
フィルタ１＿４１は、波長λ１の光信号が入射するＰｉｎ−ＰＤ１９の前に配置され、ＷＤＭ信号のうち波長λ１の光信号を透過させて波長λ１用のＰｉｎ−ＰＤ１９に入射させる。ＷＤＭ信号のうち波長λ１を除く波長の光信号はフィルタ２＿４２に送り込まれる。フィルタ２＿４２は、波長λ２の光信号が入射するＰｉｎ−ＰＤ１９の前に配置され、フィルタ１＿４１から送り込まれてきたＷＤＭ信号のうち波長λ２の光信号を透過させて波長λ２用のＰｉｎ−ＰＤ１９に入射させる。
【００４２】
フィルタ１＿４１から送り込まれてきたＷＤＭ信号のうち波長λ２を除く波長の光信号は、図示省略した波長λ３の光信号を透過させるフィルタに送り込まれる。このようにＷＤＭ信号は、フィルタにより一波長ずつ順次分波されていく。波長λｎ−１の光信号と波長λｎの光信号とが多重されたＷＤＭ信号は、波長λｎ−１の光信号が入射するＰｉｎ−ＰＤ１９の前に配置されたフィルタｎ−１＿４３に入射する。フィルタｎ−１＿４３を透過した波長λｎ−１の光信号は波長λｎ−１用のＰｉｎ−ＰＤ１９に入射する。波長λｎの光信号は波長λｎ用のＰｉｎ−ＰＤ１９に入射する。実施例４によれば、実施例１と同様の効果が得られる。
【００４３】
（実施例５）
図１２は、実施例５にかかる光送受信モジュールを示すブロック図である。図１２に示すように、光送受信モジュール５１は受信部５２及び送信部５３を備えている。受信部５２は、例えば実施例１〜４の光伝送装置の構成を含んでいてもよい。送信部５３は例えばＷＤＭ  ＭＵＸ（ＷＤＭ  Ｍｕｌｔｉｐｌｅｘｅｒ、ＷＤＭマルチプレクサ）５４、複数のＬＤ（Ｌａｓｅｒ  Ｄｉｏｄｅ、レーザーダイオード）５５及び複数の駆動部５６を備えている。各駆動部５６は各ＬＤ５５を駆動する。各ＬＤ５５は異なる波長の光信号を出射する。ＷＤＭ  ＭＵＸ５４は、各ＬＤ５５から出射された光信号を合波し、多重化して図示しない受信側の装置へ送信する。なお、ＷＤＭ  ＭＵＸ５４を用いる代わりに、実施例４のように、波長λｎの光信号を出射するＬＤを除く各ＬＤに、送信波長を透過するフィルタを接続して合波する構成としてもよい。
【００４４】
実施例１〜４にかかる各光伝送装置及び実施例５にかかる光送受信モジュールの適用例として、例えば次世代の１００ギガビットイーサネット（イーサネットは登録商標）に用いられる光伝送装置及び光送受信モジュールが挙げられる。なお、次世代の１００ギガビットイーサネット以外にも適用可能である。
【００４５】
上述した実施例１〜５に関し、さらに以下の付記を開示する。
【００４６】
（付記１）波長の異なる複数の光信号が多重化された光の受信電力を測定する第１の光受信電力モニタ部と、前記波長の異なる複数の光信号が多重化された光信号を増幅する増幅部と、前記増幅部を駆動する駆動部と、前記増幅部で増幅された光を各波長の光に分離する分離部と、前記各波長の光の受信電力を測定する複数の第２の光受信電力モニタ部と、前記第１の光受信電力モニタ部により測定される受信電力及び前記駆動部による前記増幅部の駆動条件をパラメータとする前記各波長の光の前記増幅部における利得に関する情報を記憶する記憶部と、前記各波長の光の前記増幅部への入力電力の値を演算する演算部と、を備え、前記演算部は、前記第１の光受信電力モニタ部により実際に測定された受信電力、前記駆動部により前記増幅部が実際に駆動された条件及び前記記憶部に記憶された利得に関する情報に基づいて前記各波長の光の前記増幅部における利得の値を求め、該波長ごとの利得の値及び前記各第２の光受信電力モニタ部により実際に測定された波長ごとの受信電力の値に基づいて前記各波長の光の前記増幅部への入力電力の値を演算することを特徴とする光伝送装置。
【００４７】
（付記２）前記記憶部には、前記第１の光受信電力モニタ部で測定される受信電力の離散値と前記駆動部による前記増幅部の駆動条件の離散値との組み合わせに対して予め測定された、前記各波長の光の前記増幅部における利得の値が記憶されており、前記演算部は、前記第１の光受信電力モニタ部により実際に測定された受信電力の値及び前記駆動部により前記増幅部が実際に駆動された条件の組み合わせに対する前記各波長の光の前記増幅部における利得の値を、前記記憶部に記憶されている前記各波長の光の前記増幅部における利得の値を補間して求めることを特徴とする付記１に記載の光伝送装置。
【００４８】
（付記３）前記記憶部には、前記第１の光受信電力モニタ部で測定される受信電力と前記駆動部による前記増幅部の駆動条件との組み合わせに対して予め測定された、前記各波長の光の前記増幅部における利得の補間式が記憶されており、前記演算部は、前記第１の光受信電力モニタ部により実際に測定された受信電力の値及び前記駆動部により前記増幅部が実際に駆動された条件の組み合わせに対する前記各波長の光の前記増幅部における利得の値を、前記記憶部に記憶されている前記各波長の光の前記増幅部における利得の補間式を計算して求めることを特徴とする付記１に記載の光伝送装置。
【００４９】
（付記４）前記駆動部による前記増幅部の駆動条件は、前記増幅部に供給される駆動電流であることを特徴とする付記２または３に記載の光伝送装置。
【００５０】
（付記５）前記演算部は、前記各第２の光受信電力モニタ部により実際に測定された波長ごとの受信電力の値を前記演算部により求められた波長ごとの利得の値で除することにより、前記各波長の光の前記増幅部への入力電力の値を演算することを特徴とする付記２〜４のいずれか一つに記載の光伝送装置。
【００５１】
（付記６）波長の異なる複数の光信号が多重化された光の受信電力を測定し、前記波長の異なる複数の光信号が多重化された光を増幅したときの増幅器の駆動条件を取得し、前記受信電力の測定値、前記駆動条件の取得値、及び予め用意されている、前記波長の異なる複数の光信号が多重化された光の受信電力、及び前記波長の異なる複数の光信号が多重化された光を増幅したときの前記増幅器の駆動条件をパラメータとする各波長の光の前記増幅器における利得に関する情報に基づいて、前記各波長の光の前記増幅器における利得の値を求め、前記増幅器で増幅された後に波長ごとに分離された前記各波長の光の受信電力を測定し、前記波長ごとの利得の値及び前記波長ごとの受信電力の測定値に基づいて前記各波長の光の前記増幅器への入力電力の値を演算することを特徴とする光伝送方法。
【００５２】
（付記７）前記利得に関する情報は、波長の異なる複数の光信号が多重化された光の受信電力の離散値と前記駆動条件の離散値との組み合わせに対して予め測定された、前記各波長の光の前記増幅器における利得の値を含み、前記波長の異なる複数の光信号が多重化された光の受信電力の測定値及び前記駆動条件の取得値の組み合わせに対する前記各波長の光の前記増幅器における利得の値を、前記利得に関する情報に含まれている前記各波長の光の前記増幅器における利得の値を補間して求めることを特徴とする付記６に記載の光伝送方法。
【００５３】
（付記８）前記駆動条件は、前記増幅器に供給される駆動電流であることを特徴とする付記７に記載の光伝送方法。
【００５４】
（付記９）前記波長ごとの受信電力の測定値を前記波長ごとの利得の値で除することにより、前記各波長の光の前記増幅器への入力電力の値を演算することを特徴とする付記７または８に記載の光伝送方法。
【符号の説明】
【００５５】
１  第１の光受信電力モニタ部
２  増幅部
３  駆動部
４  分離部
５  第２の光受信電力モニタ部
６  記憶部
７  演算部
【図１】
0005617549.tif 000003
【図２】
0005617549.tif 000004
【図３】
0005617549.tif 000005
【図４】
0005617549.tif 000006
【図５】
0005617549.tif 000007
【図６】
0005617549.tif 000008
【図７】
0005617549.tif 000009
【図８】
0005617549.tif 000010
【図９】
0005617549.tif 000011
【図１０】
0005617549.tif 000012
【図１１】
0005617549.tif 000013
【図１２】
0005617549.tif 000014